(57)【要約】【課題】広告情報が示す場所に向かう車両のユーザに対して、当該場所の案内情報を提示する技術を提供する。【解決手段】表示面を道路に向けて設置された表示装置に、広告情報を表示させることと、前記道路を走行する車両の乗員による行動を示す行動情報を取得することと、前記行動情報に基づき、前記広告情報が示す場所に前記車両が向かうか否かを判定することと、前記広告情報が示す場所に前記車両が向かうと判定した場合に、前記広告情報が示す場所の案内情報を前記表示装置又は前記表示装置と異なる表示装置に表示させることとを実行する。【選択図】図１
2020034976.tif 000002
【特許請求の範囲】
【請求項１】
表示面を道路に向けて設置された表示装置に、広告情報を表示させることと、
前記道路を走行する車両の乗員による行動を示す行動情報を取得することと、
前記行動情報に基づき、前記広告情報が示す場所に前記車両が向かうか否かを判定することと、
前記広告情報が示す場所に前記車両が向かうと判定した場合に、前記広告情報が示す場所の案内情報を前記表示装置又は前記表示装置と異なる表示装置に表示させることと、
を実行する制御部を備える、広告制御装置。
【請求項２】
前記行動情報が、前記車両の方向指示器が示す方向、前記車両の車速、前記車両が走行する車線を示す情報、前記乗員の視線方向、又は前記乗員の音声を示す情報である請求項１に記載の広告制御装置。
【請求項３】
前記制御部は、前記行動情報として、前記車両の前記方向指示器が示す方向を取得し、当該方向指示器が示す方向が、前記車両から前記広告情報が示す場所に向かう方向と一致する場合に、前記広告情報が示す場所に前記車両が向かうと判定し、前記車両の位置から前記広告情報が示す場所までの経路を示す前記案内情報を表示させる請求項２に記載の広告制御装置。
【請求項４】
前記案内情報毎に表示エリアが定められ、前記制御部は、前記案内情報を当該案内情報の前記表示エリアに存在する前記表示装置に表示させる請求項１〜３の何れか一項に記載の広告制御装置。
【請求項５】
前記広告情報の前記表示エリアから当該広告情報が示す場所までの経路に、複数の前記案内情報の前記表示エリアが互いにエリアを異ならせて設定され、
前記制御部が、前記行動情報として、前記車両の位置情報を取得し、当該車両が前記表示エリアに到達したと判定した場合に、当該表示エリアに設定された前記案内情報を当該表示エリアを表示対象とする前記表示装置に表示させる請求項４に記載の広告制御装置。
【請求項６】
表示面を道路に向けて設置された表示装置に、広告情報を表示させる広告制御装置と、前記道路を走行する車両内に備えられる端末とを有する広告システムであって、
前記端末が、
前記車両の乗員による行動を示す行動情報を取得することと、
前記行動情報を前記広告制御装置へ送信することと、
を実行する制御部を備え、
前記広告制御装置が、
前記表示装置に前記広告情報を表示させることと、
前記端末から前記行動情報を取得することと、
前記行動情報に基づき、前記広告情報が示す場所に前記車両が向かうか否かを判定することと、
前記広告情報が示す場所に前記車両が向かうと判定した場合に、前記広告情報が示す場所の案内情報を前記表示装置又は前記表示装置と異なる表示装置に表示させることと、
を実行する制御部を備える、広告システム。
【請求項７】
前記端末が、表示装置を備え、
前記広告制御装置の前記制御部が、前記案内情報を前記端末へ送信することで、当該案内情報を前記端末の前記表示装置に表示させる請求項６に記載の広告システム。
【請求項８】
表示面を道路に向けて設置された表示装置に、広告情報を表示させることと、
前記道路を走行する車両の乗員による行動を示す行動情報を取得することと、
前記行動情報に基づき、前記広告情報が示す場所に前記車両が向かうか否かを判定することと、
前記広告情報が示す場所に前記車両が向かうと判定した場合に、前記広告情報が示す場所の案内情報を前記表示装置又は前記表示装置と異なる表示装置に表示させることと、
を制御部が実行する広告制御方法。
【請求項９】
表示面を道路に向けて設置された表示装置に、広告情報を表示させることと、
前記道路を走行する車両の乗員による行動を示す行動情報を取得することと、
前記行動情報に基づき、前記広告情報が示す場所に前記車両が向かうか否かを判定することと、
前記広告情報が示す場所に前記車両が向かうと判定した場合に、前記広告情報が示す場所の案内情報を前記表示装置又は前記表示装置と異なる表示装置に表示させることと、
をコンピュータに実行させるための広告制御プログラム。
【発明の詳細な説明】
【技術分野】
【０００１】
本発明は、広告制御装置、広告システム、広告制御方法及び広告制御プログラムに関する。
【背景技術】
【０００２】
特許文献１では、交差点を通過するときのウィンカー情報が進入リンクと脱出リンクの接続関係に一致するか否かを判定し、一致していないと判定されたときに、誤り情報を記録する技術が提案されている。
【先行技術文献】
【特許文献】
【０００３】
【特許文献１】特開２００９−６８８７３号公報
【発明の概要】
【発明が解決しようとする課題】
【０００４】
本発明は、広告情報が示す場所に向かう車両のユーザに対して、当該場所の案内情報を提示する技術の提供を目的とする。
【課題を解決するための手段】
【０００５】
本発明の第１の態様は、
表示面を道路に向けて設置された表示装置に、広告情報を表示させることと、
前記道路を走行する車両の乗員による行動を示す行動情報を取得することと、
前記行動情報に基づき、前記広告情報が示す場所に前記車両が向かうか否かを判定することと、
前記広告情報が示す場所に前記車両が向かうと判定した場合に、前記広告情報が示す場所の案内情報を前記表示装置又は前記表示装置と異なる表示装置に表示させることと、
を実行する制御部を備える、広告制御装置である。
本発明の第２の態様は、
表示面を道路に向けて設置された表示装置に、広告情報を表示させる広告制御装置と、前記道路を走行する車両内に備えられる端末とを有する広告システムであって、
前記端末が、
前記車両の乗員による行動を示す行動情報を取得することと、
前記行動情報を前記広告制御装置へ送信することと、
を実行する制御部を備え、
前記広告制御装置が、
前記表示装置に前記広告情報を表示させることと、
前記端末から前記行動情報を取得することと、
前記行動情報に基づき、前記広告情報が示す場所に前記車両が向かうか否かを判定することと、
前記広告情報が示す場所に前記車両が向かうと判定した場合に、前記広告情報が示す場所の案内情報を前記表示装置又は前記表示装置と異なる表示装置に表示させることと、
を実行する制御部を備える、広告システムである。
本発明の第３の態様は、
表示面を道路に向けて設置された表示装置に、広告情報を表示させることと、
前記道路を走行する車両の乗員による行動を示す行動情報を取得することと、
前記行動情報に基づき、前記広告情報が示す場所に前記車両が向かうか否かを判定することと、
前記広告情報が示す場所に前記車両が向かうと判定した場合に、前記広告情報が示す場所の案内情報を前記表示装置又は前記表示装置と異なる表示装置に表示させることと、
を制御部が実行する広告制御方法である。
本発明の第４の態様は、
表示面を道路に向けて設置された表示装置に、広告情報を表示させることと、
前記道路を走行する車両の乗員による行動を示す行動情報を取得することと、
前記行動情報に基づき、前記広告情報が示す場所に前記車両が向かうか否かを判定することと、
前記広告情報が示す場所に前記車両が向かうと判定した場合に、前記広告情報が示す場所の案内情報を前記表示装置又は前記表示装置と異なる表示装置に表示させることと、
をコンピュータに実行させるための広告制御プログラム、または、該プログラムを非一時的に記憶したコンピュータ可読記憶媒体である。
【発明の効果】
【０００６】
本発明によれば、広告情報が示す場所に向かう車両のユーザに対して、当該場所の案内情報を提示する技術を提供することができる。
【図面の簡単な説明】
【０００７】
【図１】第一実施形態に係る広告システムの構成を示す図である。
【図２】情報処理装置の機能構成を例示する図である。
【図３】広告情報テーブルの一例を示す図である。
【図４】広告制御装置が実行する広告制御方法の処理手順を示す図である。
【図５】変形例に係る広告情報テーブルの一例を示す図である。
【図６】変形例における表示装置及びカメラの配置を示す図である。
【図７】変形例に係る広告制御方法を示す。
【図８】第二実施形態に係る広告システムの構成を示す図である。
【図９】第二実施形態に係る車載装置の機能構成を例示する図である。
【図１０】第二実施形態に係る広告制御装置の機能構成を例示する図である。
【図１１】第二実施形態において、広告制御装置が実行する広告制御方法の処理手順を示す図である。
【図１２】第二実施形態において、車載装置が実行する広告制御方法の処理手順を示す図である。
【発明を実施するための形態】
【０００８】
デジタルサイネージの普及に伴い、車両で走行している際に、沿道に設置されたデジタルサイネージを見る機会が増えている。しかしながら、沿道に設置されたデジタルサイネージは、一方的に広告を発信するだけであり、必ずしも車両の乗員にとって有用な広告が表示されるとは限らない。
【０００９】
例えば、店舗や施設等の広告は、通勤など、他の目的を持って車両に乗っている乗員にとって、直ぐに必要な情報ではないので、この近くに当該店舗や施設が存在していることが分かる程度に店舗名やキャッチフレーズ等が簡潔に示されているものが望ましい。これに対し、広告を見て、その店舗や施設等へ向かう乗員に対しては、当該店舗や施設までの経路や所要時間、駐車場の有無等を案内する詳細なものが望ましい。しかし、これらの情報を全て一度に表示すると、広告内容が複雑になり過ぎ、走行する車両からでは、充分に内容を把握できないことがある。なお、ユーザが操作できる位置に設置されたデジタルサイネージであれば、表示する広告をユーザに選択させることも考えられるが、沿道に設置されたデジタルサイネージでは、車両の乗員が広告を選択することができない。
【００１０】
上記を考慮して、本実施形態は、広告情報が示す場所に向かうと判定した車両のユーザ
に対して、当該場所の案内情報をデジタルサイネージに表示させる広告制御装置（コンピュータ）を提供する。本実施形態において、デジタルサイネージは、広告情報を表示する表示装置であり、以下単に、表示装置とも称す。
【００１１】
広告制御装置は、道路に表示面を向けて沿道に設置された表示装置、換言すると道路を走行する車両の乗員に対して表示を行う表示装置に広告情報を表示する。本実施形態において、車両は、乗用車、バス、タクシー等、表示装置を見ることが想定される人が乗車し、道路上を移動する移動手段であればよい。車両は、例えば、自転車、二輪自動車、路面電車等の移動手段を含んでもよい。また、本実施形態において、乗員は、車両に乗っている人であればよく、運転者や乗務員に限定されない。
【００１２】
広告制御装置は、道路を走行する車両の乗員による行動を示す行動情報を取得し、当該行動情報に基づき、広告情報が示す場所（被広告場所とも称す）に前記車両が向かうか否かを判定する。例えば、当該車両の乗員が、広告情報に示される場所へ向けて車両の進路を変更するように運転した場合や、被広告場所へ行く旨の発言をした場合に、被広告場所へ向かうと判定する。
【００１３】
そして、広告制御装置は、被広告場所に前記車両が向かうと判定した場合に、前記被広告場所の案内情報を表示装置に表示させる。ここで案内情報を表示させる表示装置は、広告情報を表示させた表示装置と同じものであっても、別のものであってもよい。
【００１４】
広告情報は、飲食店、娯楽施設等の広告の他、観光情報、災害の警報や避難勧告等の情報（以下、災害情報とも称す）といった各種情報であって、特定の場所について広告する情報である。また、案内情報は、被広告場所について案内する情報であり、例えば被広告場所までの経路や所要時間、駐車場の有無、被広告場所でされるサービスに関する情報、当該サービルを受けるまでの待ち時間等が挙げられる。
【００１５】
このように本実施形態の広告制御装置は、被広告場所に向かう車両の乗員に対して、被広告場所に係る案内情報を表示させることができる。
【００１６】
＜第一実施形態＞
（システム概要）
図１は、第一実施形態に係る広告システムの構成を示す図である。図１の例において、広告システム１００は、広告制御装置１や、複数の表示装置２を備えている。広告制御装置１は、表示面を道路５０に向けて沿道に設置された表示装置２に、広告情報を表示させ、当該道路５０を走行する車両の乗員に対して広告を行う。広告制御装置１は、道路５０を走行する車両７の乗員による行動を示す情報（行動情報）を取得し、被広告場所に車両７が向かうと判定した場合に、被広告場所の案内情報を表示装置２に表示させる。例えば、広告制御装置１は、車両７を撮影するカメラ３を有し、当該カメラ３による撮影画像を解析して、車両７の乗員の行動情報を取得する。
【００１７】
通信回線Ｎは、有線又は無線の通信回線であり、例えば、インターネット等の公衆通信網や、ＷＡＮ（Wide Area Network）等の通信網が採用されてもよい。また、通信回線Ｎ
は、携帯電話等の電話通信網、ＷｉＦｉ等の無線通信網を含んでもよい。
（装置構成）
広告制御装置１は、例えば、コンピュータによって構成される。かかるコンピュータは、プロセッサ１１、読み込み専用メモリ（ＲＯＭ）、ランダムアクセスメモリ（ＲＡＭ）等の主記憶部１２、ＥＰＲＯＭ、ハードディスクドライブ（ＨＤＤ）、リムーバブルメディア等の補助記憶部１３、表示装置２、カメラ３、あるいはその他の装置と通信するための通信部１４を備える。
【００１８】
プロセッサ１１は、制御部の一形態である。プロセッサ１１は、ＣＰＵとも呼ばれる。プロセッサ１１は、単一のプロセッサに限定されるものではなく、マルチプロセッサ構成であってもよい。また、プロセッサ１１は、マルチコア構成であってもよい。
【００１９】
補助記憶部１３は、オペレーティングシステム（ＯＳ）、各種プログラム、各種テーブル等を格納している。また、本実施形態の補助記憶部１３は、広告情報や、後述の広告情報テーブルを格納している。
【００２０】
プロセッサ１１が、補助記憶部１３に格納されたプログラムを主記憶部１２の作業領域にロードして実行し、プログラムの実行を通じて各構成部等を制御することによって、後述するような、所定の目的を果たす各機能部を実現することができる。ただし、一部または全部の機能部はＡＳＩＣやＦＰＧＡのようなハードウェア回路（制御部）によって実現されてもよい。広告制御装置１は、単一のコンピュータによって構成される場合に限られず、互いに連携する複数台のコンピュータによって構成されてもよい。
【００２１】
（機能構成）
図２は、情報処理装置の機能構成を例示する図である。広告制御装置１は、プロセッサ１１が、補助記憶部１３に記憶されたアプリケーションプログラム（広告制御プログラム）を実行することによって、図２に示す機能を実現する。すなわち、広告制御装置１は、取得部１０１、判定部１０２、表示制御部１０３を含む。
【００２２】
取得部１０１は、道路５０を走行する車両７の乗員による行動を示す行動情報を取得する。本実施形態では、乗員が、例えば車両７の方向指示器を動作させる、車速を落とす、車線を変更する等の行動（運転）を行ったことによる車両７の走行状況を示す方向などの情報を行動情報として取得する。
【００２３】
判定部１０２は、取得部１０１で取得した行動情報に基づき、被広告場所に前記車両７が向かうか否かを判定する。例えば、被広告場所に車両７が向かうか否かの判定条件を広告情報毎に設定しておき、車両７の走行状況が判定条件を満たしている場合に、被広告場所に車両７が向かうと判定する。具体的な判定手法については後述する。
【００２４】
表示制御部１０３は、判定部１０２で、被広告場所に車両７が向かうと判定された場合に、被広告場所の案内情報を表示装置２へ表示させる。例えば、広告情報と、この被広告場所の案内情報とを対応付けて広告情報テーブルに登録しておき、表示制御部１０３は、この広告情報テーブルを参照して、被広告場所の案内情報を特定し、表示装置２に表示させる。
【００２５】
図３は、広告情報テーブルの一例を示す図である。なお、図３では、説明の便宜上、各項目の値を人が用いる言語で示したが、広告制御装置１が処理可能な形式であればよく、例えばバイナリデータで示してもよい。図３の例では、広告情報を表示させる順序を示す広告順序４１と、広告情報の識別情報（広告情報ＩＤ）４２と、被広告場所４３と、当該被広告場所４３へ車両７が向かっているか否かを判定するための判定条件４４と、被広告場所４３について案内する案内情報の識別情報（案内情報ＩＤ）４５と、案内情報を表示させる表示装置２の識別情報（表示装置ＩＤ）４６とが対応付けて記憶されている。
【００２６】
（広告制御方法）
図４は、広告制御装置１が実行する広告制御方法の処理手順を示す図である。図４に示す処理は、例えば、広告制御装置１の電源が投入されたことや、広告制御装置１の管理者によって処理の開始操作が行われたことを契機として開始される。
【００２７】
ステップＳ１０にて、広告制御装置１は、表示面を道路５０に向けて設置された表示装置２へ、通信回線Ｎを介して広告情報を送信して表示させる。例えば、広告制御装置１は、広告情報テーブルを参照し、所定の順序（広告順序）で広告情報ＩＤを取得し、当該広告情報ＩＤで特定される広告情報を補助記憶部１３から読み出し、表示装置２へ送信して表示させる。
【００２８】
ステップＳ２０にて、広告制御装置１は、道路５０を走行する車両７の走行状況を行動情報として取得する。例えば、カメラ３による撮影画像から、パターンマッチングによって車両７の画像を抽出し、車両７の方向指示器が示す方向や、車両７の走行速度（車速）、車両７の走行する車線等を示す情報を取得する。具体的には、当該車両７の画像において、車両７の左側部分又は右側部分で橙色の灯火が点滅している場合、点滅している方向へ左折又は右折することを示す方向指示器の情報として取得する。また、車両７の画像が、撮影画像内で所定時間内に進んだ距離から当該車両７の車速を算出する。更に、道路５０が、片側に複数車線を有する場合、車両７の画像が複数車線のうちの何れに位置しているか、即ち、何れの車線を走行しているかを示す情報を取得する。この場合、広告情報を表示した後、所定期間内に走行車線を変更したか否かを示す情報を取得してもよい。また、当該道路５０において右折専用車線や左折専用車線等の位置を示す属性情報を取得し、車両７が右折専用車線に車線変更したことや、左折専用車線に車線変更したことを示す情報を取得してもよい。
【００２９】
ステップＳ３０にて、広告制御装置１は、ステップＳ２０で取得した走行状況（行動情報）に基づいて、被広告場所に車両７が向かうか否かを判定する。例えば、広告制御装置１は、広告情報テーブルを参照し、ステップＳ１０で表示させた広告情報と対応する判定条件を求め、ステップＳ２０で取得した走行状況が、この判定条件を満たすか否かを判定する。具体的には、行動情報として、車両７の方向指示器が示す方向を取得し、当該方向指示器が示す方向が、当該車両の現在位置から広告情報が示す場所（例えば店舗Ａ）に向かう方向と一致する場合に、判定条件を満たす（肯定判定）と判定し、一致しない場合に判定条件を満たさない（否定判定）と判定する。
【００３０】
ステップＳ３０で否定判定の場合、広告制御装置１は、ステップＳ３５へ移行し、ステップＳ３０の判定を繰り返すか否かを判定する。例えばステップＳ１０で広告情報を表示させた時点からの経過時間が所定値未満の場合やステップＳ３０の繰り返し回数が所定値未満の場合に、ステップＳ３０の処理を繰り返すと判定（肯定判定）する。また、経過時間が所定値以上の場合やステップＳ３０の繰り返し回数が所定値以上の場合に、ステップＳ３０の処理を繰り返さないと判定（否定判定）し、図４の処理を終了する。
【００３１】
ステップＳ３０で肯定判定の場合、広告制御装置１は、ステップＳ４０へ移行し、ステップＳ１０で表示した広告情報と対応する案内情報ＩＤを広告情報テーブルから求めて、この広告情報ＩＤで特定される広告情報を補助記憶部１３から取得する。
【００３２】
ステップＳ５０にて、広告制御装置１は、ステップＳ４０で取得した広告情報を表示装置２へ送信して表示させる。本実施形態の広告制御装置１は、広告情報テーブルを参照して、案内情報を表示させる表示装置２の表示装置ＩＤ４６を取得し、この表示装置ＩＤ４６で特定される表示装置２に案内情報を表示させる。例えば、図１において広告制御装置１が制御する表示装置２Ａ〜２Ｄのうち、広告情報テーブルに設定された表示装置２Ｄに案内情報を表示させる。これにより例えば、車両７が広告情報に示される場所に向かう際、当該車両７から見やすい位置に設置されている表示装置２Ｄにのみ案内情報を表示させ、その他の表示装置２Ａ〜２Ｃには案内情報を表示させず、ステップＳ１０で表示させた広告情報の表示を継続させることができる。即ち、案内情報が表示される表示エリアを、
表示装置２Ｄが表示対象とする範囲に限定できる。このように本実施形態では、案内情報毎に表示させる表示装置が定められ、これにより案内情報の表示エリアが定められている。
【００３３】
なお、表示装置ＩＤで示される表示装置２にのみ案内情報を表示させることは、必須ではなく、例えば、広告制御装置１が制御する全ての表示装置２Ａ〜２Ｄに案内情報を表示させてもよい。この場合、案内情報テーブルへの表示装置ＩＤの登録を省略してよい。
【００３４】
ステップＳ６０にて、広告制御装置１は、案内情報の表示が終了したか否かを判定する。例えば、案内情報の表示を開始させてから所定時間が経過した場合に、表示が終了したと判定する。
【００３５】
ステップＳ６０で肯定判定の場合、広告制御装置１は、図４の処理を終了する。なお、広告制御装置１は、電源が遮断されるまで、又は、管理者によって停止操作が行われるまで、図４の処理を繰り返し実行する。また、広告制御装置１は、図４の処理を繰り返し、ステップＳ１０で広告情報を表示させる際、広告情報テーブルの広告順序に基づき、前回の処理で表示した広告情報の次の広告情報を取得することとし、広告情報を順番に表示させる。
【００３６】
（作用効果）
本実施形態の広告制御装置１は、行動情報として、車両７の走行状況を取得する。広告制御装置１は、この行動情報（走行状況）に基づいて、車両７が広告情報に示される場所に向かうか否かを判定し、車両７が被広告場所に向かうと判定し場合に、案内情報を表示装置２に表示させるので、被広告場所へ向かう車両の乗員に対して的確に案内情報を表示させることができる。
【００３７】
例えば広告制御装置１は、広告情報として、店舗名やキャッチフレーズと共に、「信号右折」等のように店舗等の場所を示す簡潔な情報を表示する。車両７の乗員は、例えば、この広告情報を見て、被広告場所へ向かうために、方向指示器を操作して右折の合図を出す。この場合、広告制御装置１は、カメラ３の撮影画像から、この方向指示器の情報を取得し、この方向指示器の情報が被広告場所へ向かう方向と一致し、判定条件を満たした場合、車両７が被広告場所に向かうと判定し、被広告場所までの経路を示す地図や所要時間、駐車場の空き状況など、詳細な案内情報を表示する。
【００３８】
これにより、本実施形態の広告制御装置１は、道路を走行する一般の車両の乗員に対して表示する広告情報を把握し易い簡潔な情報とし、被広告場所へ向かう車両の乗員に対して表示する案内情報を詳細な情報とし、状況に応じて適切な情報を提供できる。また、被広告場所へ向かう車両の乗員にとっては、ナビゲーション装置がなくても被広告場所の案内情報を得ることができ、被広告場所へ向かう際の利便性が向上する。
【００３９】
（変形例）
前述の実施形態では、広告情報が示す一つの被広告場所４３に対して一つの案内情報を表示する例を示したが、これに限らず、本変形例では、一つの被広告場所４３に対して複数の案内情報を表示する。この他の構成は、前述の実施形態と同じであるため、同一の要素には同符号を付す等して再度の説明を省略する。
【００４０】
図５は、変形例に係る広告情報テーブルの一例を示す図である。図５に示すように、本変形例の広告情報テーブルは、一つの被広告場所４３に対して、案内情報ＩＤ４５と表示装置ＩＤ４６と表示エリアＩＤ４７とを複数対応付けて記憶している。表示エリアＩＤ４７は、表示エリアを識別するための情報である。表示エリアは、表示装置２が表示対象と
するエリアであり、換言すると車両７の乗員が当該表示装置２に表示された広告情報や案内情報を見ることができるエリアである。表示エリアは、例えば、表示装置２の設置位置から所定の範囲や、地図情報のノード番号で示される交差点から所定の範囲、地図情報のリンク番号で示される道路のうち所定の範囲である。本変形例では、各表示装置２の表示エリアを夫々撮影するカメラ３を設け、各カメラ３の撮影範囲を各表示エリアと対応させている。即ち、カメラ３で撮影する範囲が表示エリアとなっている。そして、これらカメラ３の識別情報を表示エリアＩＤとしている。
【００４１】
また、本変形例では、広告情報テーブルが、広告情報ＩＤで特定される広告情報と、当該広告情報の表示エリアから当該広告情報が示す被広告場所４３までの経路において異なる位置に設置された複数の表示装置２と、当該表示装置の表示エリアとを対応付けて記憶している。このように本変形例では、当該経路に、複数の表示エリアが互いにエリアを異ならせて設定されてる。
【００４２】
図６は、変形例における表示装置２及びカメラ３の配置を示す図である。図６に示すように、本変形例では、複数の道路５０Ａ〜５０Ｈに、それぞれ表示装置２Ａ〜２Ｈ及びカメラ３Ａ〜３Ｈを備えている。各表示装置２Ａ〜２Ｈは、表示面を各道路５０Ａ〜５０Ｈへ向けて沿道に配置され、各道路を走行する車両７の乗員に対して広告情報又は案内情報を表示する。また、各カメラ３Ａ〜３Ｈは、各道路５０Ａ〜５０Ｈを走行する車両７を撮影する。
【００４３】
図７は、本変形例に係る広告制御方法を示す。なお、図７の開始からステップＳ３５までの処理は前述の図４と同じである。本変形例において、ステップＳ３０の判定条件は、複数の案内情報を表示させる処理（ステップＳ４０〜Ｓ７０）を実行させるか否かを判定する条件であり、以下第一判定条件とも称する。
【００４４】
ステップＳ３０で肯定判定の場合、広告制御装置１は、ステップＳ４０Ａへ移行し、ステップＳ１０で表示させた広告情報と対応する複数の案内情報ＩＤから所定の順序で一つを選択し、当該案内情報ＩＤで特定される案内情報を補助記憶部１３から読み出して取得する。
【００４５】
ステップＳ４５にて、広告制御装置１は、広告情報テーブルを参照し、ステップＳ４０で取得した案内情報と対応する表示エリアＩＤを取得し、この表示エリアＩＤで特定される表示エリアに車両７が到達したか否かを第二判定条件として判定を行う。ここで、表示エリアに達したか否かの判定は、例えば、車両７が被広告場所に向かい、且つ表示装置ＩＤで特定される表示装置２に表示された案内情報を見ることができるエリアに到達したか否かを判定する。本変形例では、表示装置２Ｄ〜２Ｈが表示対象としている道路５０Ｄ〜５０Ｈをカメラ３Ｄ〜３Ｈで撮影し、この撮影画像から、ステップＳ３０で被広告場所へ向かっていると判定された車両７と同じ車両７の画像が抽出された場合、表示エリアに車両７が到達したと判定（肯定判定）する。
【００４６】
ステップＳ４５で否定判定の場合、広告制御装置１は、ステップＳ４７へ移行し、ステップＳ４５の判定を繰り返すか否かを判定する。例えばステップＳ４０で案内情報を取得した時点からの経過時間が所定値未満の場合やステップＳ３０の繰り返し回数が所定値未満の場合に、ステップＳ４５の処理を繰り返すと判定（肯定判定）する。また、経過時間が所定値以上の場合やステップＳ４５の繰り返し回数が所定値以上の場合に、ステップＳ４５の処理を繰り返さないと判定（否定判定）し、図７の処理を終了する。
【００４７】
一方、ステップＳ４５で肯定判定の場合、広告制御装置１は、ステップＳ５０へ移行し、広告情報テーブルを参照してステップＳ４０で取得した案内情報と対応する表示装置Ｉ
Ｄを取得し、当該案内情報を表示装置ＩＤで特定される表示装置２へ送信して表示させる。ステップＳ６０にて、広告制御装置１は、ステップＳ５０で表示させた案内情報の表示が終了したか否かを判定する。例えば、案内情報の表示を開始させてから所定時間が経過した場合に、表示が終了したと判定する。
【００４８】
ステップＳ６０で肯定判定の場合、広告制御装置１は、ステップＳ７０へ移行し、ステップＳ１０で表示させた広告情報と対応する案内情報の表示が全て終了したか否かを判定する。ステップＳ７０で否定判定の場合、即ち表示すべき案内情報が残っている場合、広告制御装置１は、ステップＳ４０Ａへ戻って、まだ表示していない案内情報を順次取得し、以降の処理を繰り返す。
【００４９】
そして、ステップＳ７０で肯定判定の場合、広告制御装置１は、図７の処理を終了する。なお、広告制御装置１は、電源が遮断されるまで、又は、管理者によって停止操作が行われるまで、図７の処理を繰り返し実行する。
【００５０】
このように本変形例の広告制御装置１は、複数の案内情報を順次表示させる。例えば、広告制御装置１は、「店舗Ａ、信号右折」等のように、表示装置２Ａ〜２Ｈ（図６）に広告情報を表示させ（ステップＳ１０）、車両７が道路５０Ａで右折の合図を出した場合に、この車両７が被広告場所（店舗Ａ）へ向かうと判定する（ステップＳ３０，Ｙｅｓ）。そして、広告制御装置１は、案内情報ＧＡ１１として、店舗Ａまでの経路を示す地図と、「５００ｍ直進して○○交差点右折」のように次の分岐点までの経路を示すメッセージを表示装置２Ｄに表示させる。
【００５１】
車両７が、○○交差点を右折して道路５０Ｅまで走行すると、広告制御装置１は、カメラ３Ｅの撮影画像に基づいて、車両７が表示装置２Ｅの表示エリアに到達したと判定し（ステップＳ４５，Ｙｅｓ）、次の案内情報ＧＡ１２を表示装置２Ｅに表示させる。案内情報ＧＡ１２は、例えば、「３００ｍ先、Ｔ字路を左折」のように更に次の分岐点までの経路を示すメッセージである。
【００５２】
そして、車両７が、道路５０Ｆまで走行すると、広告制御装置１は、カメラ３Ｆの撮影画像に基づいて、車両７が表示装置２Ｆの表示エリアに到達したと判定し（ステップＳ４５，Ｙｅｓ）、次の案内情報ＧＡ３を表示装置２Ｆに表示させる。案内情報ＧＡ３は、例えば、「５０ｍ先、左側赤い建物が店舗Ａです。」のように、店舗Ａまでの経路を示すメッセージを表示装置２Ｆに表示させる。
【００５３】
このように本変形例によれば、車両７の走行位置に応じて、案内情報を順次表示させることができ、被広告場所（図６の例では店舗Ａ）まで分かりやすく案内することができる。このため、車両７が、ナビゲーション装置を備えていなくても、車両７の乗員は、被広告場所まで容易に運転できる。
【００５４】
＜第二実施形態＞
前述の第一実施形態及び変形例では、広告制御装置１が、カメラ３の撮影画像から行動情報を取得する構成としたが、これに限らず、車両７から乗員の行動情報を取得する構成としてもよい。第二実施形態では、車両７が、車載装置（端末）７０を備え、広告制御装置１Ａが車載装置７０から行動情報を取得する。なお、この他の構成は、前述の変形例と同じであるため、同一の要素には同符号を付す等して再度の説明を省略する。
【００５５】
図８は、第二実施形態に係る広告システムの構成を示す図である。図８の例において、広告システム１００Ａは、広告制御装置１Ａや、複数の表示装置２、車載装置７０を備えている。車載装置７０は、車両７の車速や、方向指示情報、位置情報の他、乗員の視線方
向や動作、音声等の情報を行動情報とし、広告制御装置１Ａへ送信する。
【００５６】
広告制御装置１Ａは、表示面を道路５０に向けて沿道に設置された表示装置２に、広告情報を表示させ、当該道路５０を走行する車両の乗員に対して広告を行う。また、広告制御装置１Ａは、道路５０を走行する車両７の乗員による行動を示す情報（行動情報）を車載装置７０から取得し、被広告場所に車両７が向かうと判定した場合に、被広告場所の案内情報を表示装置２又は車載装置に備えられた表示装置に表示させる。
【００５７】
（装置構成）
車載装置７０は、例えば、コンピュータによって構成される。かかるコンピュータは、プロセッサ７１、主記憶部７２、補助記憶部７３、通信部７４を備える。主記憶部７２は、例えば、読み込み専用メモリ（ＲＯＭ）や、ランダムアクセスメモリ（ＲＡＭ）を有する。補助記憶部７３は、例えば、ＥＰＲＯＭ、ハードディスクドライブ（ＨＤＤ）、ＳＳＤ（solid state drive）、リムーバブルメディアを有する。通信部７４は、測位装置７
５や表示装置７６、カメラ７７、マイク７８、センサ７９或はその他の装置と通信するための通信インタフェイスである。
【００５８】
プロセッサ７１は、制御部の一形態である。プロセッサ７１は、ＣＰＵとも呼ばれる。プロセッサ７１は、単一のプロセッサに限定されるものではなく、マルチプロセッサ構成であってもよい。また、プロセッサ７１は、マルチコア構成であってもよい。
【００５９】
補助記憶部７３は、オペレーティングシステム（ＯＳ）、各種プログラム、各種テーブル等を格納している。
【００６０】
プロセッサ７１が、補助記憶部７３に格納されたプログラムを主記憶部７２の作業領域にロードして実行し、プログラムの実行を通じて各構成部等を制御することによって、後述するような、所定の目的を果たす各機能部を実現することができる。ただし、一部または全部の機能部はＡＳＩＣやＦＰＧＡのようなハードウェア回路（制御部）によって実現されてもよい。車載装置７０は、単一のコンピュータによって構成される場合に限られず、互いに連携する複数台のコンピュータによって構成されてもよい。
【００６１】
（機能構成）
図９は、車載装置７０の機能構成を例示する図である。車載装置７０は、プロセッサ７１が、補助記憶部７３に記憶されたアプリケーションプログラムを実行することによって、図９に示す機能部を実現する。すなわち、車載装置７０は、取得部７０１、送信部７０２、表示制御部７０３を含む。
【００６２】
取得部７０１は、車両７の乗員による行動を示す行動情報を取得する。取得部７０１は、例えば、乗員が、車両７の方向指示器を動作させる、車速を落とす、車線を変更する等の行動（運転）を行ったことによる車両７の走行状況を示す情報をセンサ７９で取得し、行動情報とする。
【００６３】
取得部７０１は、車内を撮影するカメラ７７による撮影画像から、乗員の画像を抽出し、乗員が表示装置２の方向に視線を向けたことや、乗員が指で表示装置２の方向を指したこと、及びその時刻等の情報を行動情報として取得してもよい。取得部７０１は、マイク７８から、乗員が発した音声を示す情報（音声情報）を行動情報として取得してもよい。
【００６４】
また、取得部７０１は、ＧＰＳ（Global Positioning System）等の測位装置７５から
、車両７が位置している場所の位置情報（例えば緯度・経度）を行動情報として取得してもよい。
【００６５】
なお、取得部７０１は、音声データや位置情報をそのまま行動情報とすることに限定されない。例えば、広告制御装置１Ａから判定条件を取得し、音声データや位置情報が、この条件を満たしたか否かを判定し、この判定結果を示す情報を行動情報としてもよい。
【００６６】
送信部７０２は、取得部７０１で取得した行動情報を広告制御装置１Ａへ送信する。表示制御部７０３は、広告制御装置１Ａから案内情報を取得した場合に、車内に設けられた表示装置７６に案内情報を表示させる。
【００６７】
図１０は、広告制御装置１Ａの機能構成を例示する図である。広告制御装置１Ａは、図２と同様の取得部１０１、判定部１０２、表示制御部１０３に加え、条件送信部１０４を含む。
【００６８】
条件送信部１０４は、広告情報が示す場所に車両７が向かっているか否かを判定するための判定条件（第一判定条件及び第二判定条件）を車載装置７０へ送信する。
【００６９】
例えば、条件送信部１０４は、広告情報テーブルを参照して、「音声情報に、『店舗Ａ』、『パスタ』、『食べたい』等のキーワードが含まれているか」「表示装置２の方向を指でさした時刻の音声情報に『いいね』、『行こうよ』又は『食べたい』といったキーワードが含まれているか」等の第一判定条件を車載装置７０へ送信する。
【００７０】
また、条件送信部１０４は、広告情報を表示する表示装置２が表示対象とする表示エリアに車両７が到達したこと、即ち案内情報を見ることができる場所に車両７が到達したことを第二判定条件とし、車両７の車載装置７０へ送信する。本実施形態では、表示エリアＩＤとして、カメラ３の識別情報に加え、地図情報を用いる。ここで地図情報は、交差点等の結節点（分岐点）をノード、各ノードの間をつなぐ道路をリンクとし、各ノードの位置や各リンクの形状、各ノードの識別情報（ノード番号）、各リンクの識別情報（リンク番号）等の情報を有する。例えば、本実施形態の広告情報テーブルは、各案内情報ＩＤと対応付けて、各表示エリアを示すリンク番号を記憶する。そして車載装置７０は、このリンク番号で示される道路（表示エリア）に到達したか否かを判定する。また、表示エリアは、ノード番号で示されてもよい。この場合、車載装置７０は、指定されたノード番号の分岐点から所定距離（例えば３０ｍ）以内に到達したか否かを判定する。
【００７１】
（広告制御方法）
図１１は、第二実施形態において、広告制御装置１Ａが実行する広告制御方法の処理手順を示す図である。ステップＳ１０にて、広告制御装置１Ａは、補助記憶部１３から広告情報を取得し、通信回線Ｎを介して広告情報を表示装置２へ送信して表示させる。
【００７２】
ステップＳ１５にて、広告制御装置１Ａは、広告情報が示す場所に車両７が向かっているか否かを判定するための判定条件（第一判定条件及び第二判定条件）を車両７の車載装置７０へ送信する。
【００７３】
ステップＳ２０Ｂにて、広告制御装置１Ａは、道路５０を走行する車両７の車載装置７０から行動情報を取得する。例えば、広告制御装置１Ａは、車両７の方向指示器が示す方向や、車両７の車速、車両７が走行する車線を示す情報、前記乗員の視線方向、又は前記乗員の音声を示す情報を車載装置７０から取得する。なお、車載装置７０から行動情報を取得できない車両７については、前述の変形例と同様に、カメラ３による撮影画像から、パターンマッチングによって車両７の画像を抽出し、車両７の方向指示器が示す方向や、車両７の走行速度（車速）、車両７の走行する車線等を示す情報を取得する。また、広告制御装置１Ａは、車載装置７０を備えた車両７についても、車載装置７０からの行動情報
に加えて、カメラ３の撮影画像から行動情報を取得してもよい。例えば、広告制御装置１Ａは、方向指示器の情報や車速等の情報を車載装置７０から取得し、車両７が走行している車線や車線変更等の情報をカメラ３の撮影画像から取得してもよい。
【００７４】
ステップＳ３０にて、広告制御装置１Ａは、ステップＳ２０Ｂで取得した行動情報に基づいて、被広告場所に車両７が向かうか否かを判定する。例えば、広告制御装置１Ａは、広告情報テーブルを参照し、ステップＳ１０で表示させた広告情報と対応する判定条件を求め、ステップＳ２０で取得した走行状況が、この判定条件を満たすか否かを判定する。なお、広告制御装置１Ａは、車載装置７０から取得した行動情報が、車載装置７０による判定結果を示す情報の場合、車載装置７０の判定結果が肯定判定であればステップＳ３０の判定結果も肯定判定とし、車載装置７０の判定結果が否定判定であればステップＳ３０の判定結果も否定判定とする。
【００７５】
ステップＳ３０で否定判定の場合、広告制御装置１Ａは、ステップＳ３５へ移行し、ステップＳ３０の判定を繰り返すか否かを判定する。例えばステップＳ１０で広告情報を表示させた時点からの経過時間が所定値未満の場合やステップＳ３０の繰り返し回数が所定値未満の場合に、ステップＳ３０の処理を繰り返すと判定（肯定判定）する。また、経過時間が所定値以上の場合やステップＳ３０の繰り返し回数が所定値以上の場合に、ステップＳ３０の処理を繰り返さないと判定（否定判定）し、図１１の処理を終了する。
【００７６】
ステップＳ３０で肯定判定の場合、広告制御装置１Ａは、ステップＳ４０Ｂへ移行し、ステップＳ１０で表示させた広告情報と対応する複数の案内情報から所定の順序で一つを選択し、当該案内情報ＩＤで特定される案内情報を補助記憶部１３から読み出して取得する。
【００７７】
ステップＳ４２にて、広告制御装置１Ａは、車両７の車載装置７０から第二判定条件の判定結果である行動情報を取得する。なお、車載装置７０を備えていない車両７については、前述の変形例と同様に、カメラ３による撮影画像から行動情報を取得する。
【００７８】
ステップＳ４５Ｂにて、広告制御装置１Ａは、ステップＳ４２で取得した行動情報に基づいて、車両７が表示エリアに到達したか否か、即ち第二判定条件を満たしているか否かを判定する。例えば、ステップＳ４２で車載装置７０から判定結果を取得した場合には、この判定に従って判定する。即ち、広告制御装置１Ａは、車載装置７０から取得した行動情報（判定結果）が、肯定判定であればステップＳ４５Ｂの判定結果も肯定判定とし、否定判定であればステップＳ４５Ｂの判定結果も否定判定とする。
【００７９】
また、車載装置７０を備えていない車両７の場合、広告制御装置１Ａは、図７のステップＳ４５と同様に判定する。例えば、表示装置２Ｄ〜Ｈが表示対象としている道路５０Ｄ〜５０Ｈをカメラ３Ｄ〜３Ｈで撮影し、この撮影画像から、ステップＳ３０で被広告場所へ向かっていると判定された車両７と同じ車両７の画像が抽出された場合、表示対象としている道路に当該車両７が到達したと判定（肯定判定）する。また、同じ車両７の画像が抽出されない場合、表示対象としている道路に車両７が到達していないと判定（否定判定）する。
【００８０】
ステップＳ４５Ｂで否定判定の場合、広告制御装置１Ａは、ステップＳ４７へ移行し、ステップＳ４５Ｂの判定を繰り返すか否かを判定する。例えばステップＳ４０で案内情報を取得した時点からの経過時間が所定値未満の場合やステップＳ３０の繰り返し回数が所定値未満の場合に、ステップＳ４５の処理を繰り返すと判定（肯定判定）する。また、経過時間が所定値以上の場合やステップＳ４５の繰り返し回数が所定値以上の場合に、ステップＳ４５の処理を繰り返さないと判定（否定判定）し、図１１の処理を終了する。
【００８１】
一方、ステップＳ４５で肯定判定の場合、広告制御装置１Ａは、ステップＳ５０Ｂへ移行し、ステップＳ４０で取得した案内情報を表示装置２及び車載装置７０へ送信して表示させる。ステップＳ６０，Ｓ７０の処理は、前述の図７の処理と同じである。
【００８２】
図１２は、第二実施形態において、車載装置７０が実行する広告制御方法の処理手順を示す図である。
【００８３】
ステップＳ１１０にて、車載装置７０は、センサ７９を介し、例えば方向指示器の情報や車速の情報等を行動情報として取得する。
【００８４】
ステップＳ１２０にて、車載装置７０は、広告制御装置１Ａが図１１のステップＳ１５で送信した判定条件（第一判定条件及び第二判定条件）を取得する。
【００８５】
ステップＳ１３０にて、車載装置７０は、ステップＳ１２０で取得した判定条件に基づいて判定を行い、この判定結果を含む行動情報を生成する。例えば、車載装置７０は、ステップＳ１２０で取得した第一判定条件に基づき、カメラ７７で撮影した撮影画像やマイク７８で取得した音声情報が、この条件を満たしているか否かを判定し、この判定結果や、判定条件の識別情報、判定時刻等を行動情報とする。具体的には、「音声情報に、『店舗Ａ』、『パスタ』、『食べたい』等のキーワードが含まれているか」、「乗員の視線が所定時間以上表示装置２の方向へ向いたか」、「表示装置２の方向を指でさした時刻の音声情報に『いいね』、『行こうよ』又は『食べたい』といったキーワードが含まれているか」といった判定を行い、この判定結果を含む行動情報を生成する。
【００８６】
また、車載装置７０は、ステップＳ１２０で取得した第二判定条件に基づき、測位装置７５から取得した自車両７の位置が、表示エリアに到達しているか否かを判定し、この判定結果や、判定条件の識別情報、判定時刻等を行動情報とする。
【００８７】
ステップＳ１４０にて、車載装置７０は、ステップＳ１１０で取得した行動情報及びステップＳ１３０で生成した行動情報を広告制御装置１Ａへ送信する。
【００８８】
ステップＳ１５０にて、車載装置７０は、広告制御装置１Ａが図１１のステップＳ５０Ｂで送信した案内情報を受信し、表示装置７６に表示させる。
【００８９】
ステップＳ１６０にて、車載装置７０は、案内情報の表示が終了したか否かを判定する。例えば、車載装置７０は、ステップＳ１２０で取得した判定条件と対応する全ての案内情報を表示させた場合に肯定判定し、図１２の処理を終了する。
【００９０】
車載装置７０は、ステップＳ１６０で否定判定の場合、ステップＳ１３０へ戻り、次の表示エリアに到達したかを判定して行動情報を生成する。一方、ステップＳ１６０で肯定判定の場合、車載装置７０は、図１２の処理を終了する。
【００９１】
このように本実施形態によれば、車両７の走行位置に応じて、案内情報を順次表示させることができ、例えば図６と同様に被広告場所まで分かりやすく案内することができる。このため、車載装置７０が、ナビゲーション機能を備えていなくても、案内情報を車載装置７０の表示装置７６に表示させることができ、車両７の乗員は、被広告場所まで容易に運転できる。更に、車載装置７０が、ナビゲーション機能を備えている場合でも、車両７の乗員は、停車して目的地を設定するといった手間をかけずに、被広告場所まで容易に運転できる。
【００９２】
なお、本実施形態は、車載装置７０から乗員の行動情報を取得する構成以外を前述の変形例と同様にしたが、当該構成以外を第一実施形態と同様に構成してもよい。即ち、一つの広告情報に対して一つの案内情報を提供する構成としてもよい。
【００９３】
＜その他の実施形態＞
上記の実施形態はあくまでも一例であって、本発明はその要旨を逸脱しない範囲内で適宜変更して実施しうる。
【００９４】
また、本開示において説明した構成や処理は、技術的な矛盾が生じない限りにおいて、自由に組み合わせて実施することができる。
【００９５】
また、１つの装置が行うものとして説明した処理が、複数の装置によって分担して実行されてもよい。あるいは、異なる装置が行うものとして説明した処理が、１つの装置によって実行されても構わない。コンピュータシステムにおいて、各機能をどのようなハードウェア構成（サーバ構成）によって実現するかは柔軟に変更可能である。
【００９６】
本発明は、上記の実施形態で説明した機能を実装したコンピュータプログラムをコンピュータに供給し、当該コンピュータが有する１つ以上のプロセッサがプログラムを読み出して実行することによっても実現可能である。このようなコンピュータプログラムは、コンピュータのシステムバスに接続可能な非一時的なコンピュータ可読記憶媒体によってコンピュータに提供されてもよいし、ネットワークを介してコンピュータに提供されてもよい。非一時的なコンピュータ可読記憶媒体は、例えば、磁気ディスク（フロッピー（登録商標）ディスク、ハードディスクドライブ（ＨＤＤ）等）、光ディスク（ＣＤ−ＲＯＭ、ＤＶＤディスク、ブルーレイディスク等）など任意のタイプのディスク、読み込み専用メモリ（ＲＯＭ）、ランダムアクセスメモリ（ＲＡＭ）、ＥＰＲＯＭ、ＥＥＰＲＯＭ、磁気カード、フラッシュメモリ、光学式カード、電子的命令を格納するために適した任意のタイプの媒体を含む。
【符号の説明】
【００９７】
１，１Ａ  ：広告制御装置
２        ：表示装置
３        ：カメラ
７        ：車両
５０      ：道路
７０      ：車載装置
７５      ：測位装置
７６      ：表示装置
１００，１００Ａ：広告システム
１０１    ：取得部
１０２    ：判定部
１０３    ：表示制御部
１０４    ：条件送信部
７０１    ：取得部
７０２    ：送信部
７０３    ：表示制御部
【図１】
2020034976.tif 000003
【図２】
2020034976.tif 000004
【図３】
2020034976.tif 000005
【図４】
2020034976.tif 000006
【図５】
2020034976.tif 000007
【図６】
2020034976.tif 000008
【図７】
2020034976.tif 000009
【図８】
2020034976.tif 000010
【図９】
2020034976.tif 000011
【図１０】
2020034976.tif 000012
【図１１】
2020034976.tif 000013
【図１２】
2020034976.tif 000014